【手続補正書】
【提出日】平成20年3月6日(2008.3.6)
【手続補正１】
【補正対象書類名】明細書
【補正対象項目名】特許請求の範囲
【補正方法】変更
【補正の内容】
【特許請求の範囲】
【請求項１】
次式ＩａまたはＩＩａ
【化１】
2001316365.tif 000001
〔式中、Ｙは基
【化２】
2001316365.tif 000002
【化３】
2001316365.tif 000003
（式中、Ｒ1は水素原子、−ＣＯＯＨ、−ＣＯＯ（炭素原子数１ないし４のアルキル）基
、−ＣＯＯ−フェニル基、−ＣＯＯベンジル基、炭素原子数１ないし８のアルコキシ基、炭素原子数１ないし１８のアルキル基、炭素原子数２ないし４のアルケニル基、ＯＨ、−ＣＯＯＨ、−ＣＯＯ（炭素原子数１ないし４の）アルキル基により置換された炭素原子数
１ないし１８のアルキル基または炭素原子数２ないし４のアルケニル基、酸素原子の１個またはそれより多くにより中断されてよい炭素原子数２ないし１８のアルキル基、未置換のシクロペンチル基、シクロヘキシル基、シクロヘキセニル基、フェニル基またはナフチル基、あるいは炭素原子数１ないし４のアルキル基、−ＣＯＯＨまたは−ＣＯＯ−（炭素原子数１ないし４のアルキル）基により置換されたシクロペンチル基、シクロヘキシル基、シクロヘキセニル基、フェニル基またはナフチル基を表し、Ｒ2は水素原子、炭素原子
数１ないし１８のアルキル基を表すか、あるいはＲ1およびＲ2は窒素原子と一緒になって５員環を形成し、該環は不飽和結合を有していてもよく、またはベンゼン環に縮合されていてもよく、Ｒ3は水素原子または炭素原子数１ないし１８のアルキル基を表す。）を表
し、そして、Ｘは、−（炭素原子数５ないし１２の）−３−シクロアルケニル基、−ＣＨ2−フェニル基、ＣＨ3ＣＨ−フェニル基、（ＣＨ3）2Ｃ−フェニル基、（炭素原子数５ないし６のシクロアルキル）2ＣＣＮ、（ＣＨ3）2ＣＣＮ、−ＣＨ2ＣＨ＝ＣＨ2、ＣＨ3ＣＨ−ＣＨ＝ＣＨ2、（炭素原子数１ないし４のアルキル）ＣＲ20−Ｃ（Ｏ）−フェニル基、
（炭素原子数１ないし４の）アルキル−ＣＲ20−Ｃ（Ｏ）−（炭素原子数１ないし４の）アルコキシ基、（炭素原子数１ないし４の）アルキル−ＣＲ20−Ｃ（Ｏ）−（炭素原子数１ないし４の）アルキル基、（炭素原子数１ないし４の）アルキル−ＣＲ20−Ｃ（Ｏ）−Ｎ−ジ（炭素原子数１ないし４の）アルキル基、（炭素原子数１ないし４の）アルキル−ＣＲ20−Ｃ（Ｏ）−ＮＨ（炭素原子数１ないし４の）アルキル基、（炭素原子数１ないし４の）アルキル−ＣＲ20−Ｃ（Ｏ）−ＮＨ2（式中、Ｒ20は水素原子または（炭素原子数
１ないし４の）アルキル基を表す。）からなる群から選択される。〕で表される化合物（ただし安息香酸２，６−ジエチル−２，３，６−トリメチル−１−（１−フェニル−エトキシ）ピペリジン−４−イルエステルは除外される。）。
【請求項２】
ａ］エチレン系不飽和モノマーまたはオリゴマーの少なくとも一種、およびｂ］次式Ｉ
ａまたはＩＩａ
【化４】
2001316365.tif 000004
〔式中、Ｙは基
【化５】
2001316365.tif 000005
（式中、Ｒ1は水素原子、−ＣＯＯＨ、−ＣＯＯ（炭素原子数１ないし４のアルキル）基
、−ＣＯＯ−フェニル基、−ＣＯＯベンジル基、炭素原子数１ないし８のアルコキシ基、炭素原子数１ないし１８のアルキル基、炭素原子数２ないし４のアルケニル基、ＯＨ、−ＣＯＯＨ、−ＣＯＯ（炭素原子数１ないし４の）アルキル基により置換された炭素原子数１ないし１８のアルキル基または炭素原子数２ないし４のアルケニル基、酸素原子の１個またはそれより多くにより中断されてよい炭素原子数２ないし１８のアルキル基、未置換のシクロペンチル基、シクロヘキシル基、シクロヘキセニル基、フェニル基またはナフチル基、あるいは炭素原子数１ないし４のアルキル基、−ＣＯＯＨまたは−ＣＯＯ−（炭素
原子数１ないし４のアルキル）基により置換されたシクロペンチル基、シクロヘキシル基、シクロヘキセニル基、フェニル基またはナフチル基を表し、Ｒ2は水素原子、炭素原子
数１ないし１８のアルキル基を表すか、あるいはＲ1およびＲ2は窒素原子と一緒になって５員環を形成し、該環は不飽和結合を有していてもよく、またはベンゼン環に縮合されていてもよく、Ｒ3は水素原子または炭素原子数１ないし１８のアルキル基を表す。）を表
し、そして、Ｘは、−（炭素原子数５ないし１２の）−３−シクロアルケニル基、−ＣＨ2−フェニル基、ＣＨ3ＣＨ−フェニル基、（ＣＨ3）2Ｃ−フェニル基、（炭素原子数５ないし６のシクロアルキル）2ＣＣＮ、（ＣＨ3）2ＣＣＮ、−ＣＨ2ＣＨ＝ＣＨ2、ＣＨ3ＣＨ−ＣＨ＝ＣＨ2、（炭素原子数１ないし４のアルキル）ＣＲ20−Ｃ（Ｏ）−フェニル基、
（炭素原子数１ないし４の）アルキル−ＣＲ20−Ｃ（Ｏ）−（炭素原子数１ないし４の）アルコキシ基、（炭素原子数１ないし４の）アルキル−ＣＲ20−Ｃ（Ｏ）−（炭素原子数１ないし４の）アルキル基、（炭素原子数１ないし４の）アルキル−ＣＲ20−Ｃ（Ｏ）−Ｎ−ジ（炭素原子数１ないし４の）アルキル基、（炭素原子数１ないし４の）アルキル−ＣＲ20−Ｃ（Ｏ）−ＮＨ（炭素原子数１ないし４の）アルキル基、（炭素原子数１ないし４の）アルキル−ＣＲ20−Ｃ（Ｏ）−ＮＨ2（式中、Ｒ20は水素原子または（炭素原子数
１ないし４の）アルキル基を表す。）からなる群から選択される。〕で表される化合物（ただし安息香酸２，６−ジエチル−２，３，６−トリメチル−１−（１−フェニル−エトキシ）ピペリジン−４−イルエステルは除外される。）からなるポリマー性組成物。
【請求項３】
エチレン系不飽和モノマーまたはオリゴマーの少なくとも一種の遊離ラジカル重合によるオリゴマー、コオリゴマー、ポリマーまたはコポリマー（ブロックまたはランダム）の製造方法であって、式ＩａまたはＩＩａで表される開始剤化合物の存在下、Ｏ−Ｃ結合の開裂をもたらして２個の遊離ラジカル（ラジカル・Ｘは重合を開始することが可能である。）を形成することが可能である反応条件下で、該モノマーまたはモノマー／オリゴマーを（共）重合することからなる方法。
【請求項４】
開始基−Ｘの少なくとも一個および請求項１記載の式ＩａまたはＩＩａで表されるオキシアミン基の少なくとも一個が結合したポリマーまたはオリゴマー。
【請求項５】
次式ＩＩＩａおよびＩＶａ
【化６】
2001316365.tif 000006
〔式中、Ｙは基
【化７】
2001316365.tif 000007
（式中、Ｒ1は水素原子、−ＣＯＯＨ、−ＣＯＯ（炭素原子数１ないし４のアルキル）基
、−ＣＯＯ−フェニル基、−ＣＯＯベンジル基、炭素原子数１ないし８のアルコキシ基、炭素原子数１ないし１８のアルキル基、炭素原子数２ないし４のアルケニル基、ＯＨ、−
ＣＯＯＨ、−ＣＯＯ（炭素原子数１ないし４の）アルキル基により置換された炭素原子数１ないし１８のアルキル基または炭素原子数２ないし４のアルケニル基、酸素原子の１個またはそれより多くにより中断されてよい炭素原子数２ないし１８のアルキル基、未置換のシクロペンチル基、シクロヘキシル基、シクロヘキセニル基、フェニル基またはナフチル基、あるいは炭素原子数１ないし４のアルキル基、−ＣＯＯＨまたは−ＣＯＯ−（炭素原子数１ないし４のアルキル）基により置換されたシクロペンチル基、シクロヘキシル基、シクロヘキセニル基、フェニル基またはナフチル基を表し、Ｒ2は水素原子、炭素原子
数１ないし１８のアルキル基を表すか、あるいはＲ1およびＲ2は窒素原子と一緒になって５員環を形成し、該環は不飽和結合を有していてもよく、またはベンゼン環に縮合されていてもよく、Ｒ3は水素原子または炭素原子数１ないし１８のアルキル基を表す。）を表
す。〕で表される化合物（ただし２，６−ジエチル−２，３，６−トリメチル−４−ラウロイルオキシピペリジン−１−オキシル、２，６−ジエチル−２，３，６−トリメチル−４−ステアロイルオキシピペリジン−１−オキシル、２，２−ジメチル−６，６−ジエチル−４−ラウロイルオキシピペリジン−１−オキシルおよび２，２−ジメチル−６，６−ジエチル−４−ステアロイルオキシピペリジン−１−オキシルは除外される。）。
【請求項６】
ａ］エチレン系不飽和モノマーまたはオリゴマーの少なくとも一種、およびｂ］式ＩＩＩａまたはＩＶａで表される化合物、およびｃ］エチレン系不飽和モノマーの重合を開始することが可能である遊離ラジカル源からなる重合性組成物。
【請求項７】
エチレン系不飽和モノマー／オリゴマーの少なくとも一種の遊離ラジカル重合によるオリゴマー、コオリゴマー、ポリマーまたはコポリマー（ブロックまたはランダム）の製造方法であって、請求項６記載の組成物に熱または化学線放射を受けさせることからなる方法。